(57)【要約】【課題】けん引式で土砂移送管を安定してかつ円滑に平行移動させることができるようにし、水底の堆積土砂を広範囲に除去する。【解決手段】複数の土砂流入口１１が配設された土砂移送管１２と複数の水噴出口１３が配設された給水管１４とを並設してなる複合管１０を水底の堆積土砂中に沈設し、土砂移送管１２に搭載した吸引ポンプ１９により管内に水流を起こすと共に、水噴出口１３から水ジェットを噴出させ、土砂流入口１１から土砂移送管１２内に土砂を流入させ、前記水流に乗せて移送する水底土砂除去装置において、前記吸引ポンプ１９を土砂移送管１２の中央に配置して重量バランスを改善し、また、給水管１４は土砂移送管１２の上部側に配置して、該給水管から土砂移送管１２内を貫通して下方へ延ばした枝管２２の先端に前記水噴出口１３を開口させて、けん引時に複合管１０にかかる土砂抵抗を低減する。【選択図】図２
2008075384.tif 000002
【特許請求の範囲】
【請求項１】
複数の土砂流入口が長手方向に配設された土砂移送管と複数の水噴出口が長手方向に配設された給水管とを並設してなる複合管を水底の堆積土砂中に沈設し、前記土砂移送管に搭載した吸引ポンプにより該土砂移送管内に水流を発生させると共に、前記水噴出口から水ジェットを噴出させて、前記土砂流入口から土砂移送管内に土砂を流入させ、かつ該土砂を前記水流に乗せて外部へ排出する水底土砂除去装置において、前記吸引ポンプを前記土砂移送管の中央に配置すると共に、前記給水管を前記土砂移送管の上部側に配置し、前記給水管の水噴出口は、該給水管から前記土砂移送管内を貫通して下方へ延ばした枝管の先端に開口させ、かつけん引方式により前記土砂移送管を水底上で平行移動させることを特徴とするけん引式水底土砂除去装置。
【請求項２】
土砂流入口が、土砂移送管の少なくとも下部に設けられており、該土砂流入口と給水管の水噴出口とが、複合管の長手方向に交互に配列されることを特徴とする請求項１に記載のけん引式水底土砂除去装置。
【請求項３】
けん引方向に向けられた土砂移送管の側部に沿って複数の第２の水噴出口を配設し、該第２の水噴出口は、給水管から該土砂移送管の周面に沿って下方へ延ばした第２の枝管の先端に開口させたことを特徴とする請求項１または２に記載のけん引式水底土砂除去装置。
【請求項４】
けん引方向に向けられた土砂移送管の側部に、その長手方向に沿って櫛歯状に突起を設けたことを特徴とする請求項１または２に記載のけん引式水底土砂除去装置。
【請求項５】
土砂移送管が、吸引ポンプの配置部位を中心にＶ字形をなし、該Ｖ字形の開き側を前向きにしてけん引されることを特徴とする請求項１乃至４の何れか１項に記載のけん引式水底土砂除去装置。
【請求項６】
複合管に、吊り部材を介してフロートを連結し、前記フロートの浮力または前記吊り部材の長さを遠隔操作により調整可能としたことを特徴とする請求項１乃至５の何れか１項に記載のけん引式水底土砂除去装置。
【請求項７】
請求項１乃至６の何れか１項に記載の水底土砂除去装置を水底の堆積土砂中に沈設し、吸引ポンプにより土砂移送管内に水流を起こしかつ給水管の水噴出口から水ジェットを噴出させながら、該水底土砂除去装置をけん引して土砂移送管を水底上で平行移動させることを特徴とするけん引式水底土砂除去工法。
【請求項８】
水底土砂除去装置を、陸域に据付けたけん引手段によりけん引することを特徴とする請求項７に記載のけん引式水底土砂除去工法。
【請求項９】
けん引手段として、オートテンションウインチを用いることを特徴とする請求項８に記載のけん引式水底土砂除去工法。
【発明の詳細な説明】
【技術分野】
【０００１】
本発明は、海底、河底、湖底等の水底に堆積した土砂を除去するため水底土砂除去装置および水底土砂除去工法に関する。
【背景技術】
【０００２】
従来、この種の水底土砂除去装置としては、特許文献１に記載されるものがあった。このものは、図９に示されるように、複数の土砂流入口１が長手方向に配設された土砂移送管２と複数の水噴出口３が長手方向に配設された流体噴出管（給水管）４とを備え、該流体噴出管４を土砂移送管２の下側に並設して一体の複合管５を構成し、この複合管５を水底の堆積土砂６中に沈設し、土砂移送管２の一端側に搭載した吸引ポンプ（図示略）により該土砂移送管２内に一方向の水流を発生させると共に、水噴出口３から水ジェットを噴出させ、土砂流入口１から土砂移送管２内に土砂を流入させて、この土砂を前記水流に乗せて外部へ排出するようになっている。このような水底土砂除去装置においては、給水管４の水噴出口３から下方へ噴出される水ジェットにより堆積土砂６が流動化し、土砂移送管２内への土砂の流入が促進されて、効率のよい土砂の除去が可能になる。
【０００３】
【特許文献１】特開２００４−３００７１０号公報
【発明の開示】
【発明が解決しようとする課題】
【０００４】
しかるに、上記特許文献１に記載される水底土砂除去装置は、土砂移送管２と給水管４とを並設した複合管５を水底の堆積土砂６中に沈設した状態で、固定設備として用いられるようになっており、このため、土砂の除去範囲は土砂移送管２の周辺に限定される、という問題があった。
【０００５】
ところで、土砂の除去範囲を拡大するには、上記土砂移送管２（複合管５）を水底上で平行移動させればよく、例えば、重機（クレーン）で吊って移動させることが考えられる。しかし、この場合は、重機の行動範囲に自ずから限界があるため、土砂移送管の移動範囲は限られたものとなり、その上、コストのかかる重機作業によってコスト負担の増大が避けられないようになる。
【０００６】
一方、けん引式で土砂移送管を水底上で平行移動させることが考えられる。このけん引式によれば、けん引用ワイヤを延ばすことで、土砂移送管の移動範囲を拡大することができ、コストの安いウインチの使用も可能になって、利用価値は大きく高まるものと期待される。
【０００７】
しかしながら、上記特許文献１に記載される水底土砂除去装置は、土砂移送管２の一端側に吸引ポンプが搭載されているため、左右の重量バランスが悪く、そのままでは、土砂移送管２を安定して平行移動させることが困難となる。また、土砂移送管２の下部に給水管４が配置されているため、土砂移送管２（複合管５）を平行移動させると、給水管４が大きな土砂抵抗を受け、土砂移送管２の円滑な移動が困難になる。
【０００８】
本発明は、上記した技術的背景に鑑みてなされたもので、その課題とするところは、けん引式によって土砂移送管を安定してかつ円滑に平行移動させることができるようにし、もって土砂除去範囲の拡大に大きく寄与するけん引式水底土砂除去装置およびけん引式水底土砂除去工法を提供することにある。
【課題を解決するための手段】
【０００９】
上記課題を解決するため、本発明に係るけん引式水底土砂除去装置は、複数の土砂流入口が長手方向に配設された土砂移送管と複数の水噴出口が長手方向に配設された給水管とを並設してなる複合管を水底の堆積土砂中に沈設し、前記土砂移送管に搭載した吸引ポンプにより該土砂移送管内に水流を起こすと共に、前記水噴出口から水ジェットを噴出させて、前記土砂流入口から土砂移送管内に土砂を流入させ、かつ該土砂を前記水流に乗せて外部へ排出する水底土砂除去装置において、前記吸引ポンプを前記土砂移送管の中央に配置すると共に、前記給水管を前記土砂移送管の上部側に配置し、前記給水管の水噴出口は、該給水管から前記土砂移送管内を貫通して下方へ延ばした枝管の先端に開口させ、かつけん引方式により前記土砂移送管を水底上で平行移動させることを特徴とする。
【００１０】
このように構成したけん引式水底土砂除去装置においては、土砂移送管の中央に吸引ポンプを配置しているので、その左右の重量バランスがよくなり、けん引式で土砂移送管を安定して平行移動させることができる。また、土砂移送管の上部側に給水管を配置し、該給水管から土砂移送管内を貫通して下方へ延ばした枝管の先端に水噴出口を開口させているので、土砂移送管を平行移動させる際、給水管の枝管の先端部のみに土砂抵抗がかかるだけとなり、給水管にかかる土砂抵抗が大幅に低減して土砂移送管の移動が円滑となる。
【００１１】
本けん引式水底土砂除去装置において、上記土砂流入口は、土砂移送管の少なくとも下部に設けられており、該土砂流入口と給水管の水噴出口とが、複合管の長手方向に交互に配列されるようにしてもよい。この場合は、水噴出口から噴出された水ジェットにより流動化した土砂が、当該水噴出口に隣接する土砂流入口から土砂移送管内に円滑に流入し、土砂の除去効率が向上する。
【００１２】
本けん引式水底土砂除去装置は、けん引方向に向けられた土砂移送管の側部に沿って複数の第２の水噴出口を配設し、該第２の水噴出口は、給水管から該土砂移送管の周面に沿って下方へ延ばした第２の枝管の先端に開口させた構成としてもよいものである。このように構成した場合は、土砂移送管の前方へも水ジェットが噴出されるので、けん引方向の前側に存在する土砂も流動化し、土砂移送管の平行移動がより円滑となる。
【００１３】
本けん引式水底土砂除去装置はまた、上記第２の水噴出口の配設に代えて、けん引方向に向けられた土砂移送管の側部に、その長手方向に沿って櫛歯状に突起を設けてもよいもので、この場合は、突起によってけん引方向前側の土砂が解されるので、土砂移送管の平行移動がより円滑となる。また、給水管に第２の枝管を設ける必要がないので、給水管の構造が簡単となる。
【００１４】
本けん引式水底土砂除去装置において、上記土砂移送管は、吸引ポンプの配置部位を中心としてＶ字形をなし、該Ｖ字形の開き側を前向きにしてけん引されるようにしてもよい。前記土砂移送管が直線状であると、その平行移動に応じて前方の土砂が管端側へ移動し、管端周辺に土砂が堆積しやすくなって土砂抵抗が大きくなるが、前記したように土砂移送管をＶ字形とした場合は、移動方向前側の土砂が土砂移送管の傾斜に沿って中央側に集まり易くなり、前記した管端周辺での土砂抵抗が低減される。また、中央側に土砂が集まることで、土砂移送管の移動範囲内の土砂の取り残しが少なくなる。さらに、土砂移送管をＶ字形とすることで、水底への座りがよくなり、けん引時の姿勢が安定する。
【００１５】
さらに、本けん引式水底土砂除去装置は、上記複合管に、吊り部材を介してフロートを連結し、前記フロートの浮力または前記吊り部材の長さを遠隔操作により調整可能としてもよいものである。この場合は、フロートにより前記複合管を浮かせることで土砂除去域への搬入・出が容易となるので、陸域から離れた沖合での土砂除去作業も簡単に行うことができる。また、複合管をフロートの浮力または吊り部材の長さを調整することにより一定水深以浅に保持することで、一定水深以浅の水底の堆積土砂のみを除去する浚渫も可能になる。
【００１６】
上記課題を解決するため、本発明に係るけん引式水底土砂除去工法は、上記したように構成された各水底土砂除去装置を水底の堆積土砂中に沈設し、吸引ポンプにより土砂移送管内に水流を起こしかつ給水管の水噴出口から水ジェットを噴出させながら、該水底土砂除去装置をけん引して土砂移送管を水底上で平行移動させることを特徴とする。
このように行う水底土砂除去工法においては、水底土砂除去装置をけん引して土砂移送管を水底上で平行移動させるので、広範囲の土砂を除去することができる。
【００１７】
本けん引式水底土砂除去工法において、水底土砂除去装置をけん引する方法は任意であるが、陸域に据付けたけん引手段によりけん引用ワイヤを水底に這わせる状態でけん引する場合は、船舶航行を邪魔することがないので、陸域から離れた場所の土砂除去を行う場合に有用となる。この場合、けん引手段として、オートテンションウインチを用いるのが望ましく、これにより土砂堆積状況によって土砂抵抗が変化しても、土砂移送管の移動速度が自動的に調整され、取り残しが著しく少なくなる。また、土砂移送管に過度なけん引力が加わることがなくなるので、ワイヤの断線などのトラブルもなくなり、安全性が向上する。
【発明の効果】
【００１８】
本発明に係るけん引式水底土砂除去装置および水底土砂除去工法によれば、けん引式で土砂移送管を安定してかつ円滑に平行移動させることができるので、土砂除去範囲の拡大に大きく寄与し、移動に要するコスト負担の増大も抑えられて、その利用価値は大なるものがある。
【発明を実施するための最良の形態】
【００１９】
以下、本発明を実施するための最良の形態を添付図面に基づいて説明する。
【００２０】
図１〜５は、本発明の一つの実施形態であるけん引式水底土砂除去装置を示したものである。図において、１０は、複数の土砂流入口１１が長手方向に配設された土砂移送管１２と、複数の水噴出口（噴射ノズル）１３が長手方向に配設された給水管１４とを並設してなる複合管であり、ここでは、土砂移送管１２の上部側に給水管１４が配置されている。土砂移送管１２は、左右の直管１２Ａ，１２Ｂを中央の連接管１５を介して接続してなっており、その全体は、連接管１５を中心にＶ字形をなしている。また、給水管１４は、左右の直管１４Ａ，１４Ｂを中央の連接管１６を介して接続してなっており、その全体も、前記土砂移送管１２に合せてＶ字形をなしている。
【００２１】
上記土砂移送管１２の中央に位置する連接管１５の上部には土砂流出口１７が設けられており、この土砂流出口１７には、その周りのフランジ１８を利用して吸引ポンプ１９が接続されている。吸引ポンプ１９には、土砂排送ホース２０の一端が接続されるようになっており、この土砂排送ホース１８の他端は、図示を略す土砂集積地まで延ばされる。一方、給水管１４の中央に位置する連接管１６は、土砂移送管１２側の連接管１５の背後に門形をなすように取り回されており、その中間部位には、給水源（給水ポンプ）から延ばした給水ホース（図示略）を接続するための管継手２１が設けられている。
【００２２】
土砂移送管１２の土砂流入口１１は、ここでは下部に開口する第１の土砂流入口１１ａと下方側部に開口する第２の土砂流入口１１ｂとの２列配置となっており、両者は、土砂移送管１２を構成する直管１２Ａ，１２Ｂの軸方向に１／２ピッチずらして配置されている。また、上記給水管１４の水噴射口１３は、ここでは給水管１４から土砂移送管１２内を貫通して下方へ延ばした第１の枝管２２の先端に開口する第１の水噴出口１３ａと給水管１４から土砂移送管１２の周面に沿って下方へ延ばした第２の枝管２３の先端に開口する第２の水噴出口１３ｂとの２列配置となっており、両者は、給水管１４を構成する直管１４Ａ，１４Ｂの軸方向に１／２ピッチずらして配置されている。一方、第１の土砂流入口１１ａと第２の水噴出口１３ｂ、第２の土砂流入口１１ｂと第１の水噴出口１３ａとは、それぞれ複合管１０の長手方向位置を一致させて配置されている。したがって、第１の土砂流入口１１ａと第１の水噴出口１３ｂ、第２の土砂流入口１１ｂと第２の水噴出口１３ｂとは、それぞれ複合管１０の長手方向に交互に配置された状態となっている（図１）。なお、水噴出口１３を構成する第２の水噴出口１３ｂは、水平方向へ口向きが設定されている。
【００２３】
土砂移送管１２の土砂流入口１１は、中央の連接管１５の下面および側面にも設けられている。また、この連接管１５の下面には複数の水噴出口１３が設けられており、この水噴射管１３には、給水管１４を構成する直管１４Ａ，１４Ｂの一端から延ばした第３の枝管２４が接続されている（図２）。また、複合管１０の両端の外側には、給水管１４を構成する直管１４Ａ，１４Ｂから分岐した第４、第５の枝管２５，２６が配設されている。これら枝管のうち、第４の枝管２５は上記第１の枝管２２と同様に下方へ延ばされ、第５の枝管２６は、その先端が土砂移送管１２（１２Ａ，１２Ｂ）内へ導入されている。さらに、土砂移送管１２を構成する各直管１２Ａ，１２Ｂの管端には、複数の水流入口２７（図５）が設けられている。
【００２４】
ここで、本水底土砂除去装置Ｍは、水底の堆積土砂２８（図３〜５）中に沈設され、この状態で水底上をけん引されるようになっている。図１中、２９は、陸域に据付けたウインチ（けん引手段）から延ばされたけん引用ワイヤを表しており、該ワイヤ２９は、複合管１０を構成する土砂移送管１２の両端に設けた連結部材３０（図５）に連結されている。複合管１０（土砂移送管１２、給水管１４）は、そのＶ字形の開き側を前向きにしてけん引されるようになっており、前記ワイヤ２９は、必要に応じて中央の連接管１５を含む土砂移送管１２の適当箇所に連結される。なお、３１は、装置全体を吊るための複数のアイプレートであり（図１）、該アイプレート３１は土砂移送管１２の長手方向の適所に複数設けられる。
【００２５】
以下、上記のように構成したけん引式水底土砂除去装置Ｍを用いて行う水底土砂除去工法を説明する。
【００２６】
本水底土砂除去装置Ｍにより水底土砂を除去するには、予め土砂移送管１２の両端の連結部材３０に陸域に据付けたウインチ、望ましくはオートテンションウインチから延ばしたワイヤ２９を連結し、さらに土砂移送管１２の中央の吸引ポンプ１９に土砂排送ホース１８を、給水管１４の中央の管継手２１に給水ポンプから延ばした給水ホースをそれぞれ接続する。そして、前記準備完了後、土砂移送管１２に設けたアイプレート３１を利用して装置全体を、例えば、台船上のクレーンで吊り上げ、これを目的とする位置まで搬送し、その位置でクレーン操作により装置全体を水底の堆積土砂２８上に降ろす。
【００２７】
次に、吸引ポンプ１９および給水ポンプを作動させる。すると、吸引ポンプ１９の作動により土砂移送管１２内にその両端から中央に向かう水流が発生し、ベルヌーイの定理により土砂流入口１１（第１の土砂流入口１１ａ、第２の土砂流入口１１ｂ）から土砂移送管１２内に土砂２８が流入し、この土砂は管内の水流に乗って中央の土砂流出口１７から吸引ポンプ１９を経て土砂排送ホース１８へ移送される。一方、給水ポンプの作動により給水管１４に加圧水が供給され、この加圧水は第１の枝管２２と第２の枝管２３とに分流して、第１の水噴出口１３ａから下方向へ、第２の水噴出口１３ｂから水平方向へそれぞれ水ジェットとして噴射される。そして、下方向への水ジェットにより土砂移送管１２の下側の堆積土砂２８が流動化し、この流動化した土砂２８は、主として下部に開口する第１の土砂流入口１１ａから土砂移送管１２内に流入し、前記した管内の水流に乗って移送される。これにより土砂移送管１２の下側の水底に窪みが形成されるが、この窪みの周辺の土砂が該窪み内に崩落して流動化し、主として第１の土砂流入口１１ａから土砂移送管１２内に流入し、同様に移送される。なお、前記した周辺土砂の崩落は、水平方向への水ジェットにより促進され、崩落中の土砂の一部は、側部に開口する第２の土砂流入口１１ｂから土砂移送管１２内へ流入する。このようにして土砂移送管１２（複合管１０）の下方の堆積土砂２８が除去され、土砂移送管１２は次第に沈降（自沈）する。この自沈は、下層になるほど地盤は圧密され締まった状態となっているので、やがて停止し、これにより複合管１０は堆積土砂２８中に沈設された状態となる。
【００２８】
本実施形態においては特に、土砂移送管１２の下部に開口する第１の土砂流入口１１ａと給水管１４の水噴出口１３ａとが複合管１０の長手方向に交互に配置されているので、該第１の水噴出口１３ａから噴射された水ジェットにより流動化した土砂が、当該水噴出口１３ａに隣接する第１の土砂流入口１１ａから土砂移送管１２内に円滑に流入し、土砂の除去効率が向上する。また、給水管１４の第５の分岐管２６を介して加圧流体の一部が土砂移送管１２の端部内に導入されているので、土砂流入管１２内の水流が加速され、土砂は効率よく移送される。
【００２９】
次に、上記した複合管１０の沈設にタイミングを合せてウインチを作動させる。すると、本水底土砂除去装置Ｍの全体が陸域方向へけん引され、土砂移送管１２（複合管１０）が、そのＶ字形の開き側を前向きにして水底上で平行移動する。図３〜５は、この様子を示しており、この移動に応じて、移動方向前側の堆積土砂２８が、水平方向への水ジェットにより解されて流動化しながら土砂移送管１２の下側へ崩落し、この崩落途中で、土砂２８の一部は側部に開口する第２の土砂流入口１１ｂから土砂移送管１２内へ流入する。また、土砂移送管１２の下側へ崩落した土砂は、下方向への水ジェットによりさらに流動化して、下部に開口する第１の土砂流入口１１ａから土砂移送管１２内に流入する。このように土砂移送管１２内に流入した土砂は、吸引ポンプ１９により土砂移送管１２内に発生している水流に乗って土砂排送ホース１８へ移送され、これによって土砂移送管１２（複合管１０）の移動方向前側の堆積土砂２８は次第に除去される。
【００３０】
本土砂除去装置Ｍは、ウインチにより連続してけん引されており、このけん引による土砂移送管１２の平行移動に応じて水底の堆積土砂２８が次第に除去され、その除去範囲が拡大する。しかして、本実施形態においては、土砂移送管１２（複合管１０）の中央に吸引ポンプ１９を配置しているので、その左右の重量バランスがよくなり、けん引方式により土砂移送管１２を安定して平行移動させることができる。また、土砂移送管１２の上部側に給水管１４を配置し、該給水管１４から土砂移送管１２内を貫通して下方へ延ばした枝管（第１の枝管）２２の先端に水噴出口１１（第１の水噴出口１１ａ）を開口させているので、土砂移送管１２を平行移動させる際、給水管１４の枝管２２の先端部にのみ土砂抵抗がかかるだけとなり、給水管１４にかかる土砂抵抗が大きく低減して、土砂移送管１２の移動が円滑となる。
【００３１】
本実施形態においては特に、給水管１４の第２の水噴出口１４ｂから噴射される水平方向の水ジェットによって移動方向前側の堆積土砂が解されるので、土砂移送管１２にかかる土砂抵抗は大幅に低減し、土砂移送管１２の平行移動はより一層円滑となる。
【００３２】
また、土砂移送管１２が吸引ポンプ１９の配置部位を中心としてＶ字形をなしているので、その移動方向前側の土砂が土砂移送管の傾斜に沿って中央側に集まり易くなる。すなわち、土砂移送管１２の両端周辺に土砂が集まって堆積することはなくなり、この結果、土砂移送管１２にかかる土砂抵抗は低減し、この面からも土砂移送管１２の平行移動は円滑となる。また、中央側に土砂が集まることで、土砂移送管１２の移動範囲内の土砂の取り残しが少なくなる。さらに、土砂移送管１２をＶ字形とすることで、装置全体の水底への座りがよくなり、けん引時の姿勢が安定する。
【００３３】
また、ウインチとして、オートテンションウインチを用いた場合は、水底の土砂堆積状況により土砂移送管１２にかかる土砂抵抗が変化しても、その土砂抵抗（ワイヤ２９にかかる張力）に応じて土砂移送管１２の移動速度が自動的に調整され、結果として取り残しが著しく少なくなる。また、土砂移送管１２に過度なけん引力が加わることがなくなるので、けん引用ワイヤ２９の断線などのトラブルもなくなり、安全性が向上する。
【００３４】
なお、本水底土砂除去装置Ｍをけん引用ワイヤ２９により安定してけん引するには、水底を這わせる状態で該ワイヤ２９を延ばす必要がある。このため、例えば、図６に示すように、直立形式の護岸（陸域）３５にウインチ（オートテンションウインチ）３６を据付ける場合は、図示のように護岸３５の前面の水底部に滑車３７を設置し、ウインチ３６から引出したワイヤ２９を該滑車３７で方向変換して水底を這わせる状態として本水底土砂除去装置Ｍに連結する。
【００３５】
ここで、上記実施形態においては、給水管１４から土砂移送管１２の周面に沿って下方へ延ばした第２の枝管２３の先端部に第２の水噴出口１３ｂを設けたが、この第２の水噴出口１３ｂは省略してもよいものである。ただし、第２の水噴出口１３ｂを省略する場合は、図７に示すように、けん引方向に向けられた土砂移送管１２の側部に、その長手方向に沿って櫛歯状に突起４０を設けるのが望ましい、この場合は、該突起４０によってけん引方向前側の土砂が解されるので、上記実施形態と同様に土砂移送管１２の平行移動が円滑となり、その上、給水管１４から第２の枝管２３を省略する分、給水管１４の構造が簡単となり、その製作に要するコストも低減する。
【００３６】
本水底土砂除去装置Ｍはまた、図８に示すように、上記複合管１０に、吊り部材（吊りワイヤ）４１を介してフロート４２を連結し、該フロート４２により装置全体を浮かせて土砂除去域に搬入・出できるようにしてもよいものである。この場合、フロート４２として遠隔操作により浮力を調整可能な浮力調整機構を付加し、または吊り部材４１に遠隔操作により長さ調整可能な長さ調整機構を付加することで、土砂除去域でフロート４２の浮力または吊り部材４１の長さを遠隔操作により調整して、装置全体を沈降および浮上させるようにするのが望ましい。このように構成した場合は、土砂除去域への装置の搬入・出が容易となるので、陸域から離れた沖合での土砂除去作業も容易となる。また、複合管１０をフロート４２の浮力または吊り部材４１の長さを調整することにより一定水深以浅に保持することで、一定水深以浅の水底の堆積土砂のみを除去する浚渫も可能になり、利用価値が高まる。
【図面の簡単な説明】
【００３７】
【図１】本発明の１つの実施形態としてのけん引式水底土砂除去装置の全体構造を示す平面図である。
【図２】本水底土砂除去装置の全体構造を示す正面図である。
【図３】本水底土砂除去装置を構成する複合管の構造と使用状態とを示す断面図である。
【図４】本水底土砂除去装置を構成する複合管の構造と使用状態とを、図３と別断面で示す断面図である。
【図５】本水底土砂除去装置を構成する複合管の構造と使用状態とを示す側面図である。
【図６】本水底土砂除去装置に対するけん引用ワイヤの連結状態の一例を示す模式図である。
【図７】本けん引式水底土砂除去装置の他の実施形態における複合管の構造と使用状態とを示す断面図である。
【図８】本けん引式水底土砂除去装置の、さらに他の実施形態を示す正面図である。
【図９】従来の水底土砂除去装置の構造と使用状態とを示す断面図である。
【符号の説明】
【００３８】
１０    複合管
１１（１１Ａ，１１Ｂ）  土砂流入口
１２    土砂移送管
１３（１３Ａ，１３Ｂ）  水噴出口
１４    給水管
１９    吸引ポンプ
２２〜２６  給水管の枝管
２９    けん引用ワイヤ
３０    ワイヤの連結部材
３５    護岸（陸域）
３６    ウインチ
４０    櫛歯状突起
４１    吊り部材
４２    フロート
【図１】
2008075384.tif 000003
【図２】
2008075384.tif 000004
【図３】
2008075384.tif 000005
【図４】
2008075384.tif 000006
【図５】
2008075384.tif 000007
【図６】
2008075384.tif 000008
【図７】
2008075384.tif 000009
【図８】
2008075384.tif 000010
【図９】
2008075384.tif 000011